(57)【要約】【課題】  効率よく、部屋全体としての温度のばらつきを緩和し、低コストの空調機を提供する。【解決手段】  フィルタ１１と、フィルタ１１を内部に有する本体２とを備え、室内空気の浄化又は温度・湿度の調節をする空調機１において、本体２は、空気を吹き出す吹出開口２ａと、吹出開口２ａに隣接した第１開口２ｂと、第１開口２ｂに対向する面に設けた第２開口２ａと、第１開口２ｂ及び第２開口２ａを閉鎖可能な閉鎖部材４と、を有し、第１開口２ｂが閉鎖部材４により閉鎖されている場合、第２開口２ａからフィルタ１１を介して空気を吸い込み、第２開口２ａが閉鎖部材４により閉鎖されている場合、第１開口２ｂからフィルタ１１を介して空気を吸い込むことを特徴とする。【選択図】図３
2011012874.tif 000002
【特許請求の範囲】
【請求項１】
フィルタと、前記フィルタを内部に有する本体とを備え、室内空気の浄化又は温度・湿度の調節をする空調機において、前記本体は、空気を吹き出す吹出開口と、前記吹出開口に隣接した第１開口と、前記第１開口に対向する面に設けた第２開口と、前記第１開口及び前記第２開口を閉鎖可能な閉鎖部材と、を有し、前記第１開口が前記閉鎖部材により閉鎖されている場合、前記第２開口から前記フィルタを介して空気を吸い込み、前記第２開口が前記閉鎖部材により閉鎖されている場合、前記第１開口から前記フィルタを介して空気を吸い込むことを特徴とする空調機。
【請求項２】
前記第１開口及び前記第２開口は、同一の構造からなることを特徴とする請求項１に記載の空調機。
【請求項３】
前記本体の内部にファンモータを備え、前記ファンモータと前記閉鎖部材とを一体に連結してブロック化することを特徴とする請求項１又は請求項２に記載の空調機。
【発明の詳細な説明】
【技術分野】
【０００１】
本発明は、天井裏等に隠蔽し、室内空気を浄化又は温度・湿度を調節する空調機に関するものである。
【背景技術】
【０００２】
従来、天井裏に配置した空調機の本体下側に配置される吸込口を通して室内空気を吸入し、熱交換され、適正温度に調節された空気を空調機本体の下側に配置される吹出口を通して室内に排出するものが知られている（特許文献１参照）。
【先行技術文献】
【特許文献】
【０００３】
【特許文献１】特開２００２−２４３１８９号公報
【発明の概要】
【発明が解決しようとする課題】
【０００４】
しかしながら、従来の天井カセット型空調機では、吸込口と吹出口がごく近傍の同一面にあるので、ショートサーキット運転やハンチング運転を生じる問題を有していた。
【０００５】
ショートサーキット運転とは、吹出口から吹いた空調空気が室内負荷を処理し終える前に吸込口に吸われてしまう現象のことである。ショートサーキット運転が生じると、空調機の能力を最大限に発揮することができなくなる。
【０００６】
また、ハンチング運転とは、大部屋等の天井カセット型空調機を複数台、各空調機間の受け持ち領域をある程度重ねて設置した場合に生じる現象であり、隣接して設置される空調機がそれぞれＯＮ・ＯＦＦを繰り返すことである。各空調機は、自分の受け持ち領域内の温度が設定値になるように運転されるので、隣接して設置される空調機の受け持ち領域内の温度に関係なく、自分の吸込温度が設定値に到達すると、冷温熱供給を停止する。例えば、一旦、空調機Ａが冷温熱供給を停止すると、再起動温度に到達するまでの間、隣接して設置される空調機Ｂの負荷が大きくなる。次に、隣接して設置される空調機Ｂの吸込温度が設定値に到達すると、冷温熱供給を停止する。すると、先に冷温熱供給を停止していた空調機Ａの領域は、先に再起動温度に到達し、冷温熱供給を開始する。その後、空調機Ａと空調機Ｂは、冷温熱供給のＯＮ・ＯＦＦを繰り返すことになり、部屋全体での温度分布のばらつきや発停頻度の増大で機器寿命の低下を招くことになる。
【０００７】
本発明は上記課題を解決し、効率よく、部屋全体としての温度のばらつきを緩和し、低コストの空調機を提供することを目的とする。
【課題を解決するための手段】
【０００８】
上記課題の解決策として、各空調機が吸込口から室内空気を吸う際、各々の受け持ち領域の空気を直接吸うのではなく、各空調機の化粧パネルの吹出口から離れた位置に設置された天井吸込口、天井チャンバを経ることで空気を混合させ各空調機の吸込温度の均一化を図る方法が考えられる。この場合、天井チャンバ内の空気を吸込可能とする新たな構造の空調機の開発が必要となることから、機種も増大し、コスト高を招くことになる。
【０００９】
本発明は上記課題を解決するものであって、１機種の空調機で、その内部の構成１部分（ブロック）の位置を組み替えることで、室内(天井下)空気吸込にも天井内空気吸込にも容易に変更できるようにしたものである。
【００１０】
具体的には、フィルタと、前記フィルタを内部に有する本体とを備え、室内空気の浄化又は温度・湿度の調節をする空調機において、前記本体は、空気を吹き出す吹出開口と、前記吹出開口に隣接した第１開口と、前記第１開口に対向する面に設けた第２開口と、前記第１開口及び前記第２開口を閉鎖可能な閉鎖部材と、を有し、前記第１開口が前記閉鎖部材により閉鎖されている場合、前記第２開口から前記フィルタを介して空気を吸い込み、前記第２開口が前記閉鎖部材により閉鎖されている場合、前記第１開口から前記フィルタを介して空気を吸い込むことを特徴とする。
【００１１】
また、前記第１開口及び前記第２開口は、同一の構造からなることを特徴とする。
【００１２】
また、前記本体の内部にファンモータを備え、前記ファンモータと前記閉鎖部材とを一体に連結してブロック化することを特徴とする。
【発明の効果】
【００１３】
本発明によれば、フィルタと、前記フィルタを内部に有する本体とを備え、室内空気の浄化又は温度・湿度の調節をする空調機において、前記本体は、空気を吹き出す吹出開口と、前記吹出開口に隣接した第１開口と、前記第１開口に対向する面に設けた第２開口と、前記第１開口及び前記第２開口を閉鎖可能な閉鎖部材と、を有し、前記第１開口が前記閉鎖部材により閉鎖されている場合、前記第２開口から前記フィルタを介して空気を吸い込み、前記第２開口が前記閉鎖部材により閉鎖されている場合、前記第１開口から前記フィルタを介して空気を吸い込むので、設置場所等に応じて、前記第１開口及び前記第２開口のどちらから空気を吸い込むか選択することができ、効率よく、部屋全体としての温度のばらつきを緩和し、コストを低くすることができる。
【００１４】
また、前記第１開口及び前記第２開口は、同一の構造からなるので、前記閉鎖部材の構造を、前記第１開口及び前記第２開口のそれぞれにあわせて変更する必要がなくなる。
【００１５】
また、前記本体の内部にファンモータを備え、前記ファンモータと前記閉鎖部材とを一体に連結するので、前記閉鎖部材の位置を変更する際に、簡単に実施することができる。
【図面の簡単な説明】
【００１６】
【図１】第１実施形態の空調機を示す図である。
【図２】第２実施形態の空調機を示す図である。
【図３】第１実施形態と第２実施形態の変更を示す図である。
【図４】空調機の点検・清掃方法を示す図である。
【発明を実施するための形態】
【００１７】
以下、図面を参照して本発明の空調機について説明する。
【００１８】
図１は、本発明の空調機の第１実施形態を示すものである。本実施形態では、空調機１として天井カセット型パッケージ空調機１を用い、該空調機１を天井１００の上部空間である天井チャンバ１０１に設置したものである。
【００１９】
天井カセット型パッケージ空調機１は、本体２と化粧パネル３を有し、本体２の内部に、フィルタ１１、ファンモータを含むファンモータブロック１２、熱交換コイル１３等を有する。
【００２０】
本体２は、下方を天井１００の開口１００ａに嵌め込むように設置される。本体２の下方には、空調空気を吹き出すための吹出開口２ａが形成され、吹出開口２ａに隣接して第１開口の一例としての下部開口２ｂ、下部開口２ｂに対向する上面に第２開口の一例としての上部開口２ｃが形成されている。化粧パネル３は、天井１００に設置され、本体２の下部開口２ｂに対向する位置に吸込口３ａを有し、本体２の吹出開口２ａに対向する位置に吹出口３ｂを有する。
【００２１】
閉鎖部材４は、本体２にネジ等の結合部材５で結合され、上部開口２ｃを閉鎖しており、ファンモータブロック１２を防振機構を介してネジ等で固着し、一体に支持している。
【００２２】
図１に示すような構造の天井カセット型パッケージ空調機１は、ファンモータブロック１２を作動させると、吸込力が発生し、矢印のように、室内空気が化粧パネル３の吸込口３ａを経て、下部開口２ｂから本体２に入り、フィルタ１１を通過し、ファンモータブロック１２のファンモータから排出され、熱交換コイル１３で温度や湿度を調節され、本体２の吹出開口２ａと化粧パネル３の吹出口３ｂを経て室内に吹き出される。
【００２３】
図２は、本発明の空調機の第２実施形態を示すものである。本実施形態では、空調機１として天井カセット型パッケージ空調機１を用い、該空調機１を天井１００の上部空間である天井チャンバ１０１に設置したものである点で、第１実施形態と同様のものであるが、天井カセット型パッケージ空調機１の吸込部分が第１実施形態と異なる。
【００２４】
本実施形態では、本体２の上方の上部開口２ｃを吸込部分として採用するので、本体２の内部に設置されるフィルタ１１及びファンモータブロック１２は、上下逆に配置し、閉鎖部材４は、下部開口２ｂにネジ等の結合部材５で結合され、ファンモータブロック１２を防振機構を介してネジ等で固着し、一体に支持している。
【００２５】
化粧パネル３は、天井１００に設置され、本体２の下部開口２ｂに対向する位置に吸込口３ａを有し、本体２の吹出開口２ａに対向する位置に吹出口３ｂを有する。しかしながら、本実施形態では、対向する下部開口２ｂが閉鎖部材４により閉鎖されているので、吸込口３ａは、閉鎖してもよい。また、化粧パネル３の吹出口３ｂから離れた位置に天井吸込口１００ｂが設けられている。
【００２６】
図２に示すような構造の天井カセット型パッケージ空調機１は、ファンモータブロック１２を作動させると、吸込力が発生し、矢印のように、室内空気が、天井吸込口１００ｂ、天井チャンバ１０１を経て、上部開口２ｃから空気を吸い込みように形成され、本体２に入り、フィルタ１１を通過し、ファンモータブロック１２から排出され、熱交換コイル１３で温度や湿度を調節され、本体２の吹出開口２ａと化粧パネル３の吹出口３ｂを経て室内に吹き出される。
【００２７】
次に、第１実施形態と、第２実施形態の変更方法について説明する。図３は、天井カセット型パッケージ空調機１を第１実施形態から第２実施形態へ変更する方法を示す図である。
【００２８】
まず、図３（ａ）に示すように、天井カセット型パッケージ空調機１の結合部材５を外し、本体２と閉鎖部材４及びファンモータブロック１２を分離させる。次に、フィルタ１１を下方から取り出し、ファンモータブロック１２及び閉鎖部材４を上方から取り出す。
【００２９】
続いて、フィルタ１１を上方から、ファンモータブロック１２及び閉鎖部材４を下方から差し込む。この時、ファンモータブロック１２を上方、閉鎖部材４を下方に配置して差し込む。そして、最後に結合部材５で閉鎖部材４と本体２を結合する。
【００３０】
なお、本体２と閉鎖部材４とを結合する構成である上部開口２ｃ、下部開口２ｂ及び結合部材５は、同一の構造とすると、簡単に第１実施形態と第２実施形態の変更をすることができる。
【００３１】
また、フィルタ１１は上方から取り出したり、下方から差し込む構造としてもよい。さらに、フィルタ１１を本体２から取り出さず、本体２の内部で下方から上方に移動する構造としてもよい。
【００３２】
さらに、第１実施形態と第２実施形態の変更は、設置する前にあらかじめ実施しておくのが好ましいが、設置後に変更してもよい。
【００３３】
図４は、天井カセット型パッケージ空調機１のフィルタの清掃方法を示す図である。
【００３４】
第１実施形態の場合、フィルタの清掃は、化粧パネル３を開閉することで室内（天井１００の下）作業が可能となる。
【００３５】
また、第２実施形態の場合、天井点検口１００ｃから天井裏へ侵入することにより、フィルタ清掃作業を実施することになる。また、第２実施形態で用いた天井吸込口１００ｂを天井点検口１００ｃと兼用させてもよい。この場合、第１実施形態と第２実施形態のどちらでも設置可能な天井１００の構造となる。
【００３６】
さらに、第２実施形態の場合、閉鎖部材４及びファンモータブロック１２に着脱機構を付加することで、化粧パネル３を外し、結合部材５を外すことで閉鎖部材４及びファンモータブロック１２を下方へ取り出し、天井裏へ侵入することなく、室内での清掃作業を可能とすることもできる。
【００３７】
このように、天井カセット型パッケージ空調機１は、フィルタ１１と、フィルタ１１を内部に有する本体２とを備え、室内空気の浄化又は温度・湿度の調節をするものであって、本体２は、空気を吹き出す吹出開口２ａと、吹出開口２ａに隣接した下部開口２ｂと、下部開口２ｂに対向する面に設けた上部開口２ｃと、下部開口２ｂ及び上部開口２ｃを閉鎖可能な閉鎖部材４と、を有し、下部開口２ｂが閉鎖部材４により閉鎖されている場合、上部開口２ｃからフィルタ１１を介して空気を吸い込み、上部開口２ｃが閉鎖部材４により閉鎖されている場合、下部開口２ｂからフィルタ１１を介して空気を吸い込むので、設置場所等に応じて、下部開口２ｂ及び上部開口２ｃのどちらから空気を吸い込むか選択することができ、効率よく、部屋全体としての温度のばらつきを緩和することができる。
【００３８】
また、下部開口２ｂ及び上部開口２ｃは、同一の構造からなるので、閉鎖部材４の構造を、下部開口２ｂ及び上部開口２ｃのそれぞれにあわせて変更する必要がなくなる。
【００３９】
また、本体２の内部にファンモータ１２を備え、ファンモータ１２と閉鎖部材４とを一体に連結するので、閉鎖部材４の位置を変更する際に、簡単に実施することができる。
【符号の説明】
【００４０】
１…天井カセット型パッケージ空調機、２…本体、２ａ…上部開口、２ｂ…下部開口、２ｃ…吹出開口、３…化粧パネル、４…閉鎖部材、５…結合部材、１１…フィルタ、１２…ファンモータブロック、１３…熱交換コイル、１４…吸込口、１５…吹出口、１００…天井、１００ａ…開口、１００ｂ…天井吸込口、１００ｃ…天井点検口、１０１…天井チャンバ
【図１】
2011012874.tif 000003
【図２】
2011012874.tif 000004
【図３】
2011012874.tif 000005
【図４】
2011012874.tif 000006